【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
所定のコード画像を表示可能な情報処理装置であって、
情報を表示する表示部と、
操作者の操作を受け付ける受付部と、
前記受付部が操作者の操作を受け付けずに所定時間が経過したときに予め定められた画面を前記表示部に表示する表示制御手段と、を備え、
前記表示制御手段は、
前記表示部に前記所定のコード画像を表示してから前記受付部が操作者の操作を受け付けずに前記所定時間が経過しても前記予め定められた画面を前記表示部に表示せず、
前記表示部に前記所定のコード画像を表示してから前記受付部が操作者の操作を受け付けずに前記所定時間より長い他の所定時間が経過したときに前記予め定められた画面を前記表示部に表示する、情報処理装置。
【請求項２】
前記コード画像は、バーコード画像またはＱＲコード（登録商標）画像である、請求項１に記載の情報処理装置。
【請求項３】
前記コード画像は、ネットワークを介して前記情報処理装置にアクセスするための情報を含む、請求項１又は２に記載の情報処理装置。
【請求項４】
前記表示制御手段は、前記コード画像の視認性が高まるように前記表示部を制御する、
請求項１ないし３のいずれか一項に記載の情報処理装置。
【請求項５】
前記表示制御手段は、前記コード画像のコントラストを調整する、
請求項４に記載の情報処理装置。
【請求項６】
前記表示制御手段は、前記他の所定時間が経過する前に前記操作部が操作者の操作を受け付けたときに前記所定のコード画像を含む画面を他の画面に切り替える、
請求項１ないし５のいずれか一項に記載の情報処理装置。
【請求項７】
外部装置が送信した印刷データを受信する受信手段と、
前記表示制御手段は、前記他の所定時間が経過する前に前記受信手段が前記印刷データを受信したときに前記所定のコード画像を含む画面を他の画面に切り替える、
請求項１ないし５のいずれか一項に記載の情報処理装置。
【請求項８】
受付部が操作者の操作を受け付けずに所定時間が経過したときに予め定められた画面を表示部に表示する表示制御方法であって、
所定のコード画像を前記表示部に表示するステップと、
前記表示部に前記所定のコード画像が表示されてから前記受付部が操作者の操作を受け付けずに前記所定時間が経過しても前記予め定められた画面を前記表示部に表示せず、前記表示部に前記所定のコード画像が表示されてから前記受付部が操作者の操作を受け付けずに前記所定時間より長い他の所定時間が経過したときに前記予め定められた画面を前記表示部に表示するステップと、を有する表示制御方法。
【請求項９】
所定のコード画像を表示可能な情報処理装置であって、
情報を表示する表示部と、
操作者の操作を受け付ける受付部と、
前記受付部が操作者の操作を受け付けずに所定時間が経過したときに予め定められた画面を前記表示部に表示する表示制御手段と、を備え、
前記表示制御手段は、
前記表示部に前記所定のコード画像が表示された場合、所定期間は、前記受付部が操作者の操作を受け付けずに所定時間が経過しても前記予め定められた画面を前記表示部に表示しない、情報処理装置。
【請求項１０】
前記コード画像は、バーコード画像またはＱＲコード（登録商標）画像である、請求項９に記載の情報処理装置。
【請求項１１】
前記コード画像は、ネットワークを介して前記情報処理装置にアクセスするための情報を含む、請求項９又は１０に記載の情報処理装置。
【請求項１２】
前記表示制御手段は、前記コード画像の視認性が高まるように前記表示部を制御する、
請求項９ないし１１のいずれか一項に記載の情報処理装置。
【請求項１３】
前記表示制御手段は、前記コード画像のコントラストを調整する、
請求項１２に記載の情報処理装置。
【請求項１４】
前記表示制御手段は、前記所定期間が経過する前に前記操作部が操作者の操作を受け付けたときに前記所定のコード画像を含む画面を他の画面に切り替える、
請求項９ないし１３のいずれか一項に記載の情報処理装置。
【請求項１５】
外部装置が送信した印刷データを受信する受信手段を備え、
前記表示制御手段は、前記所定期間が経過する前に前記受信手段が前記印刷データを受信したときに前記所定のコード画像を含む画面を他の画面に切り替える、
請求項９ないし１３のいずれか一項に記載の情報処理装置。
【請求項１６】
受付部が操作者の操作を受け付けずに所定時間が経過したときに予め定められた画面を表示部に表示する表示制御方法であって、
所定のコード画像を前記表示部に表示するステップと、
前記表示部に前記所定のコード画像が表示された場合、前記受付部が操作者の操作を受け付けずに前記所定時間が経過しても前記予め定められた画面を前記表示部に表示しないように設定するステップと、を有する
表示制御方法。
【請求項１７】
所定のコード画像を表示可能な情報処理装置であって、
情報を表示する表示部と、
操作者の操作を受け付ける受付部と、
前記受付部が操作者の操作を受け付けずに所定時間が経過したときに前記表示部を消灯する表示制御手段と、を備え、
前記表示制御手段は、
前記表示部に前記所定のコード画像を表示してから前記受付部が操作者の操作を受け付けずに前記所定時間が経過しても前記表示部を消灯せず、
前記表示部に前記所定のコード画像を表示してから前記受付部が操作者の操作を受け付けずに前記所定時間より長い他の所定時間が経過したときに前記表示部を消灯する、
情報処理装置。
【請求項１８】
前記コード画像は、バーコード画像またはＱＲコード（登録商標）画像である、請求項１７に記載の情報処理装置。
【請求項１９】
前記コード画像は、ネットワークを介して前記情報処理装置にアクセスするための情報を含む、請求項１７又は１８に記載の情報処理装置。
【請求項２０】
前記表示制御手段は、前記コード画像の視認性が高まるように前記表示部を制御する、
請求項１７ないし１９のいずれか一項に記載の情報処理装置。
【請求項２１】
前記表示制御手段は、前記コード画像のコントラストを調整する、
請求項２０に記載の情報処理装置。
【請求項２２】
前記表示制御手段は、前記他の所定時間が経過する前に前記操作部が操作者の操作を受け付けたときに前記所定のコード画像を含む画面を他の画面に切り替える、
請求項１７ないし２１のいずれか一項に記載の情報処理装置。
【請求項２３】
外部装置が送信した印刷データを受信する受信手段を備え、
前記表示制御手段は、前記他の所定時間が経過する前に前記受信手段が前記印刷データを受信したときに前記所定のコード画像を含む画面を他の画面に切り替える、
請求項１７ないし２１のいずれか一項に記載の情報処理装置。
【請求項２４】
受付部が操作者の操作を受け付けずに所定時間が経過したときに表示部を消灯する表示制御方法であって、
所定のコード画像を前記表示部に表示するステップと、
前記表示部に前記所定のコード画像が表示されてから前記受付部が操作者の操作を受け付けずに前記所定時間が経過しても前記表示部を消灯せず、前記表示部に前記所定のコード画像が表示されてから前記受付部が操作者の操作を受け付けずに前記所定時間より長い他の所定時間が経過したときに前記表示部を消灯するステップと、を有する
表示制御方法。
【請求項２５】
所定のコード画像を表示可能な情報処理装置であって、
情報を表示する表示部と、
操作者の操作を受け付ける受付部と、
前記受付部が操作者の操作を受け付けずに所定時間が経過したときに前記表示部を消灯する表示制御手段と、を備え、
前記表示制御手段は、
前記表示部に前記所定のコード画像が表示された場合、所定期間は、前記受付部が操作者の操作を受け付けずに所定時間が経過しても前記表示部を消灯しない、
情報処理装置。
【請求項２６】
前記コード画像は、バーコード画像またはＱＲコード（登録商標）画像である、請求項２５に記載の情報処理装置。
【請求項２７】
前記コード画像は、ネットワークを介して前記情報処理装置にアクセスするための情報を含む、請求項２５又は２６に記載の情報処理装置。
【請求項２８】
前記表示制御手段は、前記コード画像の視認性が高まるように前記表示部を制御する、
請求項２５ないし２７のいずれか一項に記載の情報処理装置。
【請求項２９】
前記表示制御手段は、前記コード画像のコントラストを調整する、
請求項２８に記載の情報処理装置。
【請求項３０】
前記表示制御手段は、前記所定期間が経過する前に前記操作部が操作者の操作を受け付けたときに前記所定のコード画像を含む画面を他の画面に切り替える、
請求項２５ないし２９のいずれか一項に記載の情報処理装置。
【請求項３１】
外部装置が送信した印刷データを受信する受信手段と、
前記表示制御手段は、前記所定期間が経過する前に前記受信手段が前記印刷データを受信したときに前記所定のコード画像を含む画面を他の画面に切り替える、
請求項２５ないし２９のいずれか一項に記載の情報処理装置。
【請求項３２】
受付部が操作者の操作を受け付けずに所定時間が経過したときに予め定められた画面を表示部に表示する表示制御方法であって、
所定のコード画像を前記表示部に表示するステップと、
前記表示部に前記所定のコード画像が表示された場合、前記受付部が操作者の操作を受け付けずに前記所定時間が経過しても前記表示部を消灯しないよう設定するステップと、を有する
表示制御方法。
【手続補正２】
【補正対象書類名】明細書
【補正対象項目名】発明の名称
【補正方法】変更
【補正の内容】
【発明の名称】情報処理装置、表示制御方法
【手続補正３】
【補正対象書類名】明細書
【補正対象項目名】０００４
【補正方法】変更
【補正の内容】
【０００４】
特許文献１ないし３に開示されたオートクリアタイムなどは、ユーザが手動で設定する必要があり、煩雑である。また、設定内容をバーコードで表示し、モバイル機器でそれを読み取る前に、バーコードの表示が消えてしまったり、バーコードを認識しにくくなる場合がある。例えば、モバイル機器において、バーコード読取りのためのアプリケーションの起動や操作に時間がかかってしまうと、オートクリア機能や省電力機能が作動してしまう場合がある。
本発明は、このような問題を解消し、オートクリア機能等を有していても、画像を通じて所定情報を確実にモバイル機器側に伝えることができる技術の提供を主たる課題とする。
【手続補正４】
【補正対象書類名】明細書
【補正対象項目名】０００５
【補正方法】変更
【補正の内容】
【０００５】
本発明は、例えば情報処理装置として具現化される。ある側面の情報処理装置は、所定のコード画像を表示可能な情報処理装置であって、情報を表示する表示部と、操作者の操作を受け付ける受付部と、前記受付部が操作者の操作を受け付けずに所定時間が経過したときに予め定められた画面を前記表示部に表示する表示制御手段と、を備える。
前記表示制御手段は、前記表示部に前記所定のコード画像を表示してから前記受付部が操作者の操作を受け付けずに前記所定時間が経過しても前記予め定められた画面を前記表示部に表示せず、前記表示部に前記所定のコード画像を表示してから前記受付部が操作者の操作を受け付けずに前記所定時間より長い他の所定時間が経過したときに前記予め定められた画面を前記表示部に表示する。
【手続補正５】
【補正対象書類名】明細書
【補正対象項目名】０００６
【補正方法】変更
【補正の内容】
【０００６】
本発明によれば、例えば情報処理装置側でオートクリア機能等を有していても、所定情報を確実に外部装置側に伝えることができる。